(57)【要約】【課題】太陽光発電システム用屋根材において、屋根裏の換気機能を確保する共に簡単な構造で屋外から屋根裏への雨水等の侵入を防止可能な構造を備えたものを提供すること、少ない部材で且つ省施工で換気通路を屋根に設置可能な構造を備えたものを提供すること、等である。【解決手段】発電パネル２を備えた太陽光発電システム１に使用される屋根材１０であって、屋根裏Ａの換気機能を有する太陽光発電システム用屋根材１０は、発電パネル２の裏面側に設置されると共に、屋根裏Ａと屋外とを連通する為の換気通路１４を備え、換気通路１４の外部開口部１６は、発電パネル２の枠部５の裏面を含む平面よりも上方に位置している。屋根材１０の外周側部分は、屋根Ｒに取り付けられている屋根瓦９の外周側部分と同形状に構成され、屋根材１０は、屋根瓦９と屋根瓦９の間に１枚の屋根瓦として装着可能に構成されている。【選択図】図５
2014125852.tif 000002
【特許請求の範囲】
【請求項１】
発電パネルを備えた太陽光発電システムに使用される屋根材であって、屋根裏の換気機能を有する太陽光発電システム用屋根材において、
前記屋根材は、前記発電パネルの裏面側に設置されると共に、前記屋根裏と屋外とを連通する為の換気通路を備え、
前記換気通路の外部開口部は、前記発電パネルの枠部の裏面を含む平面よりも上方に位置していることを特徴とする太陽光発電システム用屋根材。
【請求項２】
前記屋根材には、前記発電パネルの固定用架台を取り付ける為の架台取付部が一体的に設けられていることを特徴とする請求項１に記載の太陽光発電システム用屋根材。
【請求項３】
前記外部開口部には、メッシュ部材が取り付けられたことを特徴とする請求項１又は２に記載の太陽光発電システム用屋根材。
【請求項４】
前記屋根材の外周側部分は、前記屋根に取り付けられている屋根瓦の外周側部分と同形状に構成され、前記屋根材は、前記屋根瓦と屋根瓦の間に１枚の屋根瓦として装着可能に構成されていることを特徴とする請求項１〜３の何れか１項に記載の太陽光発電システム用屋根材。
【発明の詳細な説明】
【技術分野】
【０００１】
本発明は太陽光発電システム用屋根材に関し、特に屋根裏の換気機能を有し且つ発電パネルの裏面側に設置された屋根材に関する。
【背景技術】
【０００２】
従来から、太陽光エネルギーを利用して電力を生成する太陽光発電システムが実用に供されている。この太陽光発電システムは、太陽光を受光して直接的に電力に変換する複数の発電パネル、これら発電パネルを屋根の設置面等に設置する為の固定用架台、複数の発電パネルにより変換された電力を外部に出力する為の電力線やインバータ等から構成されている。
【０００３】
ところで、太陽光発電システムを設置した住宅において、発電パネルの裏面側の屋根は日陰になり易い為に、この箇所に対応する屋根裏部分の温度は低下しやすくなるため、発電パネルが設置されていない箇所に対応する屋根裏部分との間で相対的に温度差が生じてしまう。すると、屋根裏の湿気が温度の低い方に移動してしまうので、発電パネルが設置されている箇所の屋根裏部分の湿度が高くなってしまい、結露が発生して屋根材の劣化が進行するという問題がある。
【０００４】
そこで、この問題を解決する為に、例えば、特許文献１では、次のような太陽光発電装置の屋根裏通気口の構造が開示されている。即ち、特許文献１では、屋根の屋根瓦の一部を取り外して屋根裏換気用の通気口を設け、この通気口に対して横向きに開口部が形成され且つ屋根瓦を模倣するように構成された通気口骨格を取り付け、この通気口骨格の上部に発電パネルが取り付けられた、つまり、発電パネルの裏面側に換気用の通気口が形成された構造が開示されている。
【０００５】
また、屋根裏の換気構造としては、例えば、特許文献２では、次のような瓦葺屋根の換気装置の構造が開示されている。即ち、特許文献２では、野地板にパイプが内嵌された貫通孔を設け、この野地板の貫通孔とズレた位置となるように屋根瓦に通気孔を設け、この屋根瓦の通気孔に対して、屋根の傾斜方向の下方に向いて開口したＬ形又はＪ形の呼気管が取り付けられた構造が開示されている。
【先行技術文献】
【特許文献】
【０００６】
【特許文献１】特表２００７−５３４９２４号公報
【特許文献２】実公平２−３６８１９号公報
【発明の概要】
【発明が解決しようとする課題】
【０００７】
しかし、特許文献１の屋根裏通気口の構造では、発電パネルの裏面側に設けられた通気口骨格の開口部が、屋根の傾斜方向と平行な横向きに開口しているので、強風を伴うような降雨の場合には、発電パネルの裏面側に雨水が吹き込んでしまい、開口部から屋根裏に雨水が侵入するのを防ぎきれない可能性がある。さらに、特許文献１の通気口骨格は、複数の部材からなる複雑な構造のものであるので、設置作業に手間がかかりコスト高となる虞がある。
【０００８】
また、特許文献２の瓦葺屋根の換気装置の構造でも、屋根瓦に取り付けられた呼気管の開口部は、屋根の傾斜方向と平行な横向きに開口され且つ外部に直接晒されている構造上、特許文献１と同様に、強風を伴うような降雨の場合には、屋根裏に雨水が侵入するのを防ぎきれない可能性がある。
【０００９】
本発明の目的は、太陽光発電システム用屋根材において、屋根裏の換気機能を確保する共に簡単な構造で屋外から屋根裏への雨水等の侵入を防止可能な構造を備えたものを提供すること、少ない部材で且つ省施工で換気通路を屋根に設置可能な構造を備えたものを提供すること、等である。
【課題を解決するための手段】
【００１０】
請求項１の太陽光発電システム用屋根材は、発電パネルを備えた太陽光発電システムに使用される屋根材であって、屋根裏の換気機能を有する太陽光発電システム用屋根材において、前記屋根材は、前記発電パネルの裏面側に設置されると共に、前記屋根裏と屋外とを連通する為の換気通路を備え、前記換気通路の外部開口部は、前記発電パネルの枠部の裏面を含む平面よりも上方に位置していることを特徴としている。
【００１１】
請求項２の太陽光発電システム用屋根材は、請求項１の発明において、前記屋根材には、前記発電パネルの固定用架台を取り付ける為の架台取付部が一体的に設けられていることを特徴としている。
【００１２】
請求項３の太陽光発電システム用屋根材は、請求項１又は２の発明において、前記外部開口部には、メッシュ部材が取り付けられたことを特徴としている。
【００１３】
請求項４の太陽光発電システム用屋根材は、請求項１〜３の何れか１項の発明において、前記屋根材の外周側部分は、前記屋根に取り付けられている屋根瓦の外周側部分と同形状に構成され、前記屋根材は、前記屋根瓦と屋根瓦の間に１枚の屋根瓦として装着可能に構成されていることを特徴としている。
【発明の効果】
【００１４】
請求項１の発明によれば、屋根材は、発電パネルの裏面側に設置されると共に、屋根裏と屋外とを連通する為の換気通路を備え、換気通路の外部開口部は、発電パネルの枠部の裏面を含む平面よりも上方に位置しているので、発電パネルとその枠部により、強風が伴うような降雨の場合でも、雨水の直接的な侵入を防止できると共に、屋根面に沿って流下する雨水の侵入も防止でき、故に、簡単な構造でもって雨水の屋外から換気通路を通って屋根裏への侵入を防止すると共に、屋根裏の換気を十分に行うことができる。また、少ない部品で且つ省施工で屋根に換気通路を設けることができるので、換気機能を有する屋根を低コストで実現できる。
【００１５】
請求項２の発明によれば、屋根材には、発電パネルの固定用架台を取り付ける為の架台取付部が一体的に設けられているので、屋根に屋根材を取り付けるだけで、屋根に換気通路を設けると共に架台を取り付け可能な構造とすることができ、故に、発電パネルの設置作業時間を短縮することができ、取付作業を低コストで行うことができる。
【００１６】
請求項３の発明によれば、外部開口部には、メッシュ部材が取り付けられたので、屋外から換気通路を通って屋根裏への虫や塵等の侵入を防止することができる。
【００１７】
請求項４の発明によれば、屋根材の外周側部分は、屋根に取り付けられている屋根瓦の外周側部分と同形状に構成され、屋根材は、屋根瓦と屋根瓦の間に１枚の屋根瓦として装着可能に構成されているので、既存の屋根瓦の一部を取り替えるだけで、屋根を換気機能を備えた構造にすることができる。
【図面の簡単な説明】
【００１８】
【図１】本発明の実施例１に係る太陽光発電システムと屋根の平面である。
【図２】屋根と固定用架台と太陽光発電システム用屋根材の部分斜視図である。
【図３】太陽光発電システム用屋根材の表側からの斜視図である。
【図４】太陽光発電システム用屋根材の裏側からの斜視図である。
【図５】発電パネルと屋根と架台取付部を省略した太陽光発電システム用屋根材の部分側面図である。
【図６】実施例２に係る太陽光発電システムと屋根の平面である。
【図７】太陽光発電システム用屋根材の表側からの斜視図である。
【図８】太陽光発電システム用屋根材の裏側からの斜視図である。
【図９】参考例に係る太陽光発電システム用屋根材の表側からの斜視図である。
【図１０】太陽光発電システム用屋根材の裏側からの斜視図である。
【図１１】屋根と太陽光発電システム用屋根材の部分側面図である。
【発明を実施するための形態】
【００１９】
以下、本発明を実施するための形態について実施例に基づいて説明する。
【実施例１】
【００２０】
先ずは、太陽光発電システム１について説明する。
図１に示すように、太陽光発電システム１は、太陽光を受光して直接的に電力に変換する複数の発電パネル２、これら発電パネル２を屋根Ｒの設置面Ｓ等に設置する為の固定用架台３、複数の発電パネル２により変換された電力を外部に出力する為の電力線やインバータ等から構成されている。
【００２１】
複数の発電パネル２は、屋根Ｒの設置面Ｓ上に金属製の固定用架台３を介して設置されている。複数の発電パネル２は、例えば、３行４列のマトリックス状に並べられており、パネル行の各々は２条の横ラック７により上下両端を支持する状態に設置されている。
【００２２】
図１，図５に示すように、発電パネル２は、例えば、１．３ｍ×１．０ｍ程度のサイズに構成され、太陽光を受光して発電を行う長方形状のパネル部４、このパネル部４の周囲に設けられてパネル部４を支持する枠部５等を有している。尚、発電パネル２の形状は、長方形状に限らず正方形状や台形状のものであっても良い。
【００２３】
パネル部４は、平板状の太陽電池セル、この太陽電池セルの表面側を覆うカバーガラス、太陽電池セルを封止する合成樹脂材、この合成樹脂材を覆う保護フィルムからなる背面保護材等から構成されている。このパネル部４で発電された電力は、パネル裏面側から延びる電力線を介して外部に出力可能である。
【００２４】
図５に示すように、枠部５は、パネル部４の長片側を保持する為の対向する１対の横枠部材５ａと、パネル部４の短辺側を保持する為の対向する１対の縦枠部材５ｂとから構成され、それらの主要部分はほぼ同じ構成である。尚、枠部５はアルミニウム製又はアルミニウム合金製のものであるが、アルミニウム以外の軽合金製とすることも可能である。枠部５の表面には酸化アルミニウムの絶縁性被膜が形成されている。
【００２５】
図１，図２に示すように、固定用架台３は、設置面Ｓに複数の発電パネル２を取り付ける為のものであり、設置面Ｓの縦方向向きに延びる複数の縦ラック６と、横方向向きに延びる複数の横ラック７とを有している。複数の縦ラック６は、横方向に適当間隔おきに配設され、複数の横ラック７は、複数の縦ラック６の上に発電パネル２の上下幅（縦幅）とほぼ等しい間隔おきに配設されている。
【００２６】
縦ラック６と横ラック７は、夫々、アルミニウム又はアルミニウム合金を押し出し成形した条材である。縦ラック６は後述する架台取付部１５を介して設置面Ｓに固定されている。縦ラック６と横ラック７の各交差部において、横ラック７は縦ラック６に対して連結金具（図示略）により固定されている。
【００２７】
次に、建物の屋根Ｒの構造について説明する。
図１，図２，図５に示すように、建物の屋根Ｒは、複数の垂木の上に隙間無く配設された野地板８（図２，図５参照）と、この野地板８の上に防水シートを介して葺かれた複数の平板型の屋根瓦９とから構成されている、所謂、公知の瓦葺き屋根Ｒである。屋根瓦９は、一般的な平板型の構造のものであるが、特にこの形状に限定する必要はない。
【００２８】
ここで、本発明に係る太陽光発電システム用屋根材１０について説明する。
図２〜図５に示すように、太陽光発電システム用屋根材１０（以下、屋根材１０という）は、発電パネル２を備えた太陽光発電システム１に使用される屋根材１０であり、屋根裏Ａの換気機能を有する構造を備えて発電パネル２の裏面側に設置されている。
【００２９】
屋根材１０は、平板型の屋根瓦９の形状と略同じ形状の基体１１と、基体１１の屋外側に一体形成された外部筒状部１２と、基体１１の屋根裏Ａ側に一体形成された内部筒状部１３と、屋根裏Ａと屋外とを連通する為の換気通路１４と、基体１１の屋外側に一体的に設けられ且つ発電パネル２の固定用架台３を取り付ける為の架台取付部１５等を備えている。
【００３０】
上記の屋根材１０は、野地板８上の屋根瓦９と屋根瓦９の間に１枚の屋根瓦として装着可能に構成されている。即ち、屋根材１０の基体１１の外周側部分は、屋根Ｒに取り付けられている屋根瓦９の外周側部分と同形状に構成されている。
【００３１】
尚、屋根材１０の基体１１の形状は、特に本実施例のものに限定する必要はなく、屋根瓦９の規格に応じて適宜変更可能である。また、屋根材１０の基体１１の材質としては、アルミニウムやアルミニウム合金等からなる金属成形品、ＦＲＰ等の樹脂成形品、セラミック等の陶器等、適宜採用可能である。
【００３２】
図２，図３，図５に示すように、外部筒状部１２は円筒状に構成され、基体１１の屋外側の棟側右部から基体１１の表面と直交する方向に延びるように形成されている。外部筒状部１２の高さは、架台取付部１５より高くなるように設定されている。この外部筒状部１２は、換気通路１４の上部を構成している。
【００３３】
図４，図５に示すように、内部筒状部１３は円筒状に構成され、基体１１の屋根裏Ａ側の棟側右部から基体１１の表面と直交する方向から僅かに傾いた方向に延びるように形成されている。即ち、内部筒状部１３は、基体１１から下方に延び且つ屋根Ｒの野地板８に対して直交状に貫通するように形成されている。この内部筒状部１３は、換気通路１４の下部を構成している。内部筒状部１３の外周には、ネジ部１３ａが形成されている。
【００３４】
基体１１の屋根裏Ａ側であって内部筒状部１３の上端部の外周には、ブロック状のパッキン当接部２１が一体的に形成されている。パッキン当接部２１の下端面は、基体１１の表面に対して傾いた状態に形成されている。
【００３５】
内部筒状部１３の外周には、屋根材１０と野地板８との間の隙間を水密に封止する為のリング状のパッキン２２が装着されている。即ち、このパッキン２２は、屋根材１０が屋根Ｒに固定された場合にはパッキン当接部２１の下端面と野地板８との間で弾性圧縮状態になる。このパッキン２２は、例えば、ブチルゴム等からなるリング部材から構成されているが、材質や形状は特に限定する必要はない。
【００３６】
次に、換気通路１４について説明する。
図５に示すように、換気通路１４は、外部筒状部１２の内部と内部筒状部１３の内部に亙って略直管形状に構成されている。換気通路１４は、外部筒状部１２に形成され且つ屋外に開口した外部開口部１６と、内部筒状部１３に形成され且つ屋根裏Ａに開口した内部開口部１７とを備えている。
【００３７】
さらに、図５に示すように、発電パネル２が屋根Ｒに設置された状態では、換気通路１４の外部筒状部１２の上端部は、発電パネル２の枠部５の内側に挿入されている。即ち、屋根材１０は、換気通路１４の外部開口部１６が発電パネル２の枠部５の裏面を含む平面よりも上方に位置するように屋根Ｒに取り付けられている。この外部開口部１６には、メッシュ部材１８が取り付けられている。
【００３８】
次に、架台取付部１５について説明する。
図２，図３に示すように、架台取付部１５は、基体１１の屋外側に設けられ且つ屋根Ｒの傾斜方向と平行な平坦面を有する架台搭載部１５ａと、この架台搭載部１５ａの平坦面から垂直に延びる１対の支持板部１５ｂとから一体的に形成されている。固定用架台３の縦ラック６を１対の支持板部１５ｂ間に挿入して架台搭載部１５ａの平坦面に搭載し、１対の支持板部１５ｂの２つのビス孔にビスを夫々挿入して縦ラック６に螺合することで縦ラック６を架台取付部１５に固定している。
【００３９】
次に、屋根材１０の設置構造について説明する。
図１，図２，図５に示すように、建物等の屋根Ｒ上において、屋根材１０は、発電パネル２の裏面側であって固定用架台３の横ラック６の近傍部に設置されている。屋根裏Ａ側においては、屋根材１０の内部筒状部１３の外周にパッキン２２を装着すると共にネジ部１３ａにナット部材２３を取り付けて、パッキン２２とナット部材２３とで野地板８を挟持するようにナット部材２３を締め付けることによって、屋根材１０と野地板８との間の水密を保持している。
【００４０】
次に、屋根材１０の作用及び効果について説明する。
屋根Ｒに換気機能を設ける為に屋根材１０を屋根Ｒに取り付ける場合、先ずは、発電パネル２及び固定用架台３の設置箇所に対応するように１枚の屋根瓦９を取り外して、野地板８に内部筒状部１３が貫通可能な貫通孔を形成する。次に、屋根材１０の内部筒状部１３の外周にパッキン２２を装着した状態で内部筒状部１３を貫通孔に挿通して、内部筒状部１３のネジ部１３ａを屋根裏Ａ側に突出させる。
【００４１】
次に、屋根裏Ａに突出した内部筒状部１３のネジ部１３ａにナット部材２３を取り付けて締め付けることで、パッキン２２とナット部材２３とで野地板８を挟み込むようにして屋根材１０を屋根Ｒに固定する。そして、複数の発電パネル２及び固定用架台３の設置箇所に対応するように複数の屋根材１０の取付作業を繰り返すことで、図１に示すように屋根Ｒの複数箇所に屋根材１０を取り付ける。
【００４２】
次に、複数の屋根材１０の架台取付部１５に複数の縦ラック６を夫々固定し、複数の縦ラック６の上に、発電パネル２の上下幅（縦幅）とほぼ等しい間隔おきになるように複数の横ラック７を固定し、そして、発電パネル２の枠部５の内側に屋根材１０の外部開口部１６が位置するように、複数の発電パネル２を２条の横ラック７により上下両端を支持する状態に設置する。このように、屋根Ｒに屋根材１０を複数個設置することで、必要な換気量を確保することができる。
【００４３】
以上説明したように、屋根材１０は、発電パネル２の裏面側に設置されると共に、屋根裏Ａと屋外とを連通する為の換気通路１４を備え、換気通路１４の外部開口部１６は、発電パネル２の枠部５の裏面を含む平面よりも上方に位置しているので、発電パネル２とその枠部５により、強風が伴うような降雨の場合でも、雨水の直接的な侵入を防止できると共に、屋根Ｒに沿って流下する雨水の侵入も防止でき、故に、簡単な構造でもって雨水の屋外から換気通路１４を通って屋根裏Ａへの侵入を防止すると共に、屋根裏Ａの換気を十分に行うことができる。また、少ない部品で且つ省施工で屋根Ｒに換気通路１４を設けることができるので、換気機能を有する屋根Ｒを低コストで実現できる。
【００４４】
屋根材１０には、発電パネル２の固定用架台３を取り付ける為の架台取付部１５が一体的に設けられているので、屋根Ｒに屋根材１０を取り付けるだけで、屋根Ｒに換気通路１４を設けると共に固定用架台３を取り付け可能な構造とすることができ、故に、発電パネル２の設置作業時間を短縮することができ、取付作業を低コストで行うことができる。
【００４５】
外部開口部１６には、メッシュ部材１８が取り付けられたので、屋外から換気通路１４を通って屋根裏Ａへの虫や塵等の侵入を防止することができる。
【００４６】
屋根材１０の外周側部分は、屋根Ｒに取り付けられている屋根瓦９の外周側部分と同形状に構成され、屋根材１０は、屋根瓦９と屋根瓦９の間に１枚の屋根瓦として装着可能に構成されているので、既存の屋根瓦９の一部を取り替えるだけで、屋根Ｒを換気機能を備えた構造にすることができる。
【実施例２】
【００４７】
次に、実施例１の屋根材１０を部分的に変更した実施例２について説明する。尚、実施例１では、屋根材１０には架台取付部１５が一体的に形成されているが、実施例２では、この架台取付部１５は省略されている。
【００４８】
即ち、図７，図８に示すように、屋根材１０Ａは、平板型の屋根瓦９の形状と略同じ形状の基体１１と、基体１１の屋外側に一体形成された外部筒状部１２Ａと、基体１１の屋根裏Ａ側に一体形成された内部筒状部１３Ａと、屋根裏Ａと屋外とを連通する為の換気通路１４Ａ等を備えている。
【００４９】
外部筒状部１２Ａは円筒状に構成され、基体１１の屋外側の中央部分から基体１１の表面と直交する方向に延びるように形成されている。外部筒状部１２Ａは、換気通路１４Ａの上部を構成している。換気通路１４Ａの外部開口部１６Ａには、メッシュ部材１８が取り付けられている。
【００５０】
内部筒状部１３Ａは円筒状に構成され、基体１１の屋根裏Ａ側の中央部分から基体１１の表面と直交する方向から僅かに傾いた方向に延びるように形成されている。即ち、内部筒状部１３Ａは、基体１１から下方に延び且つ屋根Ｒの野地板８に対して直交状に貫通するように形成されている。内部筒状部１３Ａは、換気通路１４Ａの下部を構成している。内部筒状部１３Ａの外周には、ネジ部１３ａが形成されている。
【００５１】
基体１１の屋根裏Ａ側であって内部筒状部１３Ａの上端部の外周には、ブロック状のパッキン当接部２１Ａが一体的に形成されている。パッキン当接部２１Ａの下端面は、基体１１の表面に対して傾いた状態に形成されている。内部筒状部１３Ａの外周面には、屋根材１０Ａと野地板８との間の隙間を水密に封止する為のリング状のパッキン２２が装着されている。
【００５２】
換気通路１４Ａは、外部筒状部１２Ａの内部と内部筒状部１３Ａの内部に亙って略直管形状に構成されている。換気通路１４Ａは、外部筒状部１２Ａに形成され且つ屋外に開口した外部開口部１６Ａと、内部筒状部１３Ａに形成され且つ屋根裏Ａに開口した内部開口部１７Ａとを備えている。さらに、屋根材１０Ａは、実施例１と同様に、換気通路１４Ａの外部開口部１６Ａが発電パネル２の枠部５の裏面を含む平面よりも上方に位置するように屋根Ｒに取り付けられている（図５参照）。
【００５３】
次に、屋根材１０Ａの設置構造について説明する。
図６に示すように、建物等の屋根Ｒ上において、屋根材１０Ａは、発電パネル２の裏面側に設置されている。屋根裏Ａ側においては、屋根材１０Ａの内部筒状部１３Ａの外周にパッキン２２を装着すると共にネジ部１３ａにナット部材２３を取り付けて、パッキン２２とナット部材２３とで野地板８を挟持するようにナット部材２３を締め付けることによって、屋根材１０Ａと野地板８との間の水密を保持している。その他の構成、作用及び効果については、前記実施例１と同様であるので説明は省略する。
［参考例］
【００５４】
次に、実施例１の屋根材１０を部分的に変更した参考例について説明する。尚、実施例１では、屋根材１０には換気通路１４と架台取付部１５とが別々に構成されているが、この参考例では、換気通路１４と架台取付部１５とが一体的に構成されている。
【００５５】
即ち、図９〜図１１に示すように、屋根材１０Ｂは、発電パネル２の裏面側に設けられるものであり、平板型の屋根瓦９の形状と略同じ形状の基体１１と、基体１１に一体的に設けられ且つ発電パネル２を設置固定する為の固定用架台３を取り付ける為の架台取付部１５Ｂと、基体１１の屋根裏Ａ側に一体形成された内部筒状部１３Ｂと、屋根裏Ａと屋外とを連通する為の換気通路１４Ｂ等を備えている。
【００５６】
図９，図１１に示すように、架台取付部１５Ｂは、基体１１の屋外側に設けられ且つ屋根Ｒの設置面Ｓと略平行な平坦面を有する架台搭載部１５Ｂａと、この架台搭載部１５Ｂａの平坦面から垂直に延びる１対の支持板部１５Ｂｂとから一体的に形成されている。架台搭載部１５Ｂａは、換気通路１４Ｂの上部を構成している。架台取付部１５Ｂの棟側部分には、棟側に向って突出する湾曲状（所謂Ｒ形状）の突出部２５が形成されている。この突出部２５によって屋根Ｒ上を伝わる水流の抵抗を低減することができる。
【００５７】
図９〜図１１に示すように、内部筒状部１３Ｂは円筒状に構成され、基体１１の屋根裏Ａ側の中央部分から基体１１の表面と直交する方向から僅かに傾いた方向に延びるように形成されている。内部筒状部１３Ｂは、基体１１から下方に延び且つ屋根Ｒの野地板８に対して直交状に貫通するように形成されている。即ち、内部筒状部１３Ｂは、換気通路１４の下部を構成している。内部筒状部１３Ｂの外周には、ネジ部１３ａが形成されている。
【００５８】
図１１に示すように、換気通路１４Ｂは、架台搭載部１５Ｂａの内部と内部筒状部１３Ｂの内部に亙って約９０度曲がった管形状に構成されている。換気通路１４Ｂは、架台搭載部１５Ｂａに形成され且つ屋外に開口した外部開口部１６Ｂと、内部筒状部１３Ｂに形成され且つ屋根裏Ａに開口した内部開口部１７Ｂとを備えている。尚、外部開口部１６Ｂには、メッシュ部材が取り付けられても良い。この場合、屋外から換気通路１４Ｂを通って屋根裏Ａへの虫や塵の侵入を防止することができる。
【００５９】
即ち、換気通路１４Ｂは、屋外側の外部開口部１６Ｂから設置面Ｓの傾斜方向に対して平行方向の上方に向って延び、野地板８の表面に対して直交する方向に屈曲して、屋根裏Ａ側の内部筒状部１３Ｂの内部開口部１７Ｂに向って延びている。
【００６０】
建物等の屋根Ｒ上において、この屋根材１０Ｂは、発電パネル２の裏面側であって固定用架台３の縦ラック６の設置箇所に対応する位置に設置される。屋根裏Ａ側においては、屋根材１０Ｂの内部筒状部１３Ｂの外周面にパッキン２２を装着すると共にネジ部１３ａにナット部材２３を取り付けて、パッキン２２とナット部材２３とで野地板８を挟持するようにナット部材２３を締め付けることによって、屋根材１０Ｂと野地板８との間の水密を保持している。
【００６１】
以上説明したように、屋根材１０Ｂは、発電パネル２の裏面側に設置されると共に、屋根裏Ａと屋外とを連通する為の換気通路１４Ｂを備え、発電パネル２により、降雨の場合でも、雨水の直接的な侵入を防止できると共に、屋根Ｒに沿って流下する雨水の侵入も防止でき、故に、簡単な構造でもって雨水の屋外から換気通路１４Ｂを通って屋根裏Ａへの侵入を防止することができると共に、屋根裏Ａの換気を十分に行うことができる。また、少ない部品で且つ省施工で屋根Ｒに換気通路１４Ｂを設けることができるので、換気機能を有する屋根Ｒを低コストで実現できる。
【００６２】
屋根材１０Ｂには、換気通路１４Ｂと発電パネル２を設置固定する為の架台を取り付ける為の架台取付部１５Ｂとが一体的に設けられているので、屋根Ｒに屋根材１０Ｂを取り付けるだけで、屋根Ｒに換気通路１４Ｂを設けると共に固定用架台３を取り付け可能な構造とすることができ、故に、発電パネル２の設置作業時間を短縮することができ、取付作業を低コストで行うことができる。
【００６３】
屋根材１０Ｂの外周側部分は、屋根Ｒに取り付けられている屋根瓦９の外周側部分と同形状に構成され、屋根材１０Ｂは、屋根瓦９と屋根瓦９の間に１枚の屋根瓦として装着可能に構成されているので、既存の屋根瓦９の一部を取り替えるだけで、屋根Ｒを換気機能を備えた構造にすることができる。その他の構成、作用及び効果については、前記実施例１と同様であるので説明は省略する。
【００６４】
次に、前記実施例を部分的に変更した形態について説明する。
［１］前記実施例１，２において、外部筒状部１２，１２Ａの形状と内部筒状部１３，１３Ａの形状は特に限定する必要はなく、換気通路１４，１４Ａの外部開口部１６，１６Ａが発電パネル２の枠部５の裏面を含む平面よりも上方に位置するように構成されていれば、種々の形状を採用可能である。
【００６５】
［２］前記実施例１，２の外部開口部１６，１６Ａには、メッシュ部材１８が取り付けられているが、このメッシュ部材１８は省略しても良い。
【００６６】
［３］前記実施例１，２において、前記屋根材１０，１０Ａの屋根Ｒに対する設置箇所は、ほんの一例を示したに過ぎず、特にこの構造に限定する必要はなく、発電パネル２の裏面側に設置されるのであれば適宜変更可能である。
【００６７】
［４］前記実施例１，２及び参考例において、換気通路１４，１４Ａ，１４Ｂに発電パネル２で駆動可能な送風ファンを設けて設けても良いし、換気通路１４，１４Ａ，１４Ｂに冬季等に寒気の侵入を防止する為のシャッター弁を設けても良い。
【００６８】
［５］その他、当業者であれば、本発明の趣旨を逸脱することなく、前記実施例に種々の変更を付加した形態で実施可能であり、本発明はそのような変更形態を包含するものである。
【産業上の利用可能性】
【００６９】
本発明の屋根材は、太陽光発電システムが設置された各種瓦屋根やスレート屋根、金属屋根へ応用することができる。
【符号の説明】
【００７０】
Ｒ      屋根
Ａ      屋根裏
１      太陽光発電システム
２      発電パネル
３      固定用架台
５      枠部
９      屋根瓦
１０，１０Ａ，１０Ｂ    太陽光発電システム用屋根材
１４，１４Ａ，１４Ｂ    換気通路
１５，１５Ｂ    架台取付部
１６，１６Ａ    外部開口部
１８    メッシュ部材
【図１】
2014125852.tif 000003
【図２】
2014125852.tif 000004
【図３】
2014125852.tif 000005
【図４】
2014125852.tif 000006
【図５】
2014125852.tif 000007
【図６】
2014125852.tif 000008
【図７】
2014125852.tif 000009
【図８】
2014125852.tif 000010
【図９】
2014125852.tif 000011
【図１０】
2014125852.tif 000012
【図１１】
2014125852.tif 000013